(57)【要約】【課題】薬液が外部へ流れ出ることを防止可能な容器、及び、この容器を有する揮散装置を提供すること。【解決手段】容器２０は、内部と外部とを連通する孔７０と、蓋部材４０の上面４２ａの孔７０の縁に形成され、孔７０を囲む段部８０を有する。段部８０は、底面８１及び内周面８２を有する。孔７０は、孔７０の軸線Ｃ１に対して最大傾斜角度を有する吸上揮散体６０が、孔７０の内周面７１と底面８１との間の第１の稜部Ｘに接触可能に形成される。第１の稜部Ｘの、孔７０の軸線Ｃ１に対して最大傾斜角度を有する吸上揮散体６０との接触箇所Ｑを通り軸線Ｃ１に直交する平面Ｐと吸上揮散体６０とがなす角度をαとし、接触箇所Ｑを通り、かつ、段部８０の内周面８２及び上面４２ａの段部８０の周囲の部分の間の第２の稜部Ｚに接触する直線Ｓと平面Ｐとのなす角度をβとすると、α＞βとなる。【選択図】      図４
2018203286.tif 000002
【特許請求の範囲】
【請求項１】
棒状の吸上揮散体により薬液を吸い上げて当該薬液を揮散させる揮散装置に用いられ、前記薬液を収容可能な空間を規定する内面、及び、外面を有する容器であって、
内部と外部とを連通する孔と、
前記外面の前記孔の縁に形成され、前記孔を囲む段部であって、前記外面の前記孔の周囲の部分に対して低い位置に配置された底面、並びに、前記底面及び前記外面の前記孔の前記周囲の部分の間に配置された内側面を有する段部と、
を具備し、
前記孔は、前記孔の軸線に対して最大傾斜角度を有する前記吸上揮散体が、前記孔の内面と前記底面との間の第１の稜部に接触可能に形成され、
前記第１の稜部の、前記孔の前記軸線に対して最大傾斜角度を有する前記吸上揮散体との接触箇所を通り前記軸線に直交する平面とこの吸上揮散体とがなす角度をαとし、前記接触箇所を通り、かつ、前記段部の前記内側面及び前記外面の前記段部の周囲の部分の間の第２の稜部に接触する直線と前記平面とのなす角度をβとすると、α＞βとなる
容器。
【請求項２】
前記段部の前記底面は、前記孔の前記軸線側が反対側に対して低い面に形成される
請求項１に記載の容器。
【請求項３】
前記容器は、容器本体、及び、前記容器本体に装着される蓋部材を具備し、
前記孔及び前記段部は、前記蓋部材に形成される
請求項１に記載の容器。
【請求項４】
請求項１乃至請求項３のいずれか１に形成された容器と、
前記容器の前記孔を通して前記容器に挿入された前記吸上揮散体と、
を具備する揮散装置。
【発明の詳細な説明】
【技術分野】
【０００１】
本発明は、薬液を吸上揮散体により吸い上げて揮散させる揮散装置に用いられる容器、及び、揮散装置に関する。
【背景技術】
【０００２】
容器内に、液状の芳香薬剤等の薬液を収容し、この薬液を、棒状の吸上揮散体により吸い上げて揮散させる揮散装置が知られている。この種の揮散装置には、複数の吸上揮散体を有しているものもある。複数の吸上揮散体は、その一部が容器内に位置しており、残りは、容器の開口を通して外部に位置している。
【０００３】
また、特許文献１の揮散装置は、転倒時に、容器内の薬液が容器の開口部を通して外部に流れ出ることを防止する為に、容器の開口部の内面を、開口面積が小さくなるように円錐面に形成している。
【先行技術文献】
【特許文献】
【０００４】
【特許文献１】特開２０１２−４５２４６号公報
【発明の概要】
【発明が解決しようとする課題】
【０００５】
上述のように容器の開口面積を小さくする場合、次のような問題があった。すなわち、開口面積が小さくなることにより、開口内に占める、吸上揮散体の占める割合が大きくなるので、吸上揮散体どうしの隙間が小さくなる。また、吸上揮散体により吸い上げられた薬液の一部は、吸上揮散体の上端や表面から漏れ出し、吸上揮散体の表面を伝って、下方に落ちる。そのため、吸上揮散体どうしの隙間が小さくなることにより、吸上揮散体の表面を流れる微小な薬液が開口内に溜まり、容器の外部に流れ出る、という問題がある。
【０００６】
また、開口部の内面を傾斜面としない揮散装置においても、吸上揮散体が開口部の内縁に接触することにより、吸上揮散体の表面を流れる微小な薬液が、開口部の内縁を伝って容器の外部に流れ出るという問題がある。
【０００７】
この為、本発明は、薬液が外部へ流れ出ることを防止可能な容器、及び、この容器を有する揮散装置を提供することを目的とする。
【課題を解決するための手段】
【０００８】
本発明の容器は、棒状の吸上揮散体により薬液を吸い上げて当該薬液を揮散させる揮散装置に用いられ、前記薬液を収容可能な空間を規定する内面、及び、外面を有する。前記容器は、内部と外部とを連通する孔と、前記外面の前記孔の縁に形成され、前記孔を囲む段部であって、前記外面の前記孔の周囲の部分に対して低い位置に配置された底面、並びに、前記底面及び前記外面の前記孔の前記周囲の部分の間に配置された内側面を有する段部と、を備える。前記孔は、前記孔の軸線に対して最大傾斜角度を有する前記吸上揮散体が、前記孔の内面と前記底面との間の第１の稜部に接触可能に形成される。前記第１の稜部の、前記孔の前記軸線に対して最大傾斜角度を有する前記吸上揮散体との接触箇所を通り前記軸線に直交する平面とこの吸上揮散体とがなす角度をαとし、前記接触箇所を通り、かつ、前記段部の前記内側面及び前記外面の前記段部の周囲の部分の間の第２の稜部に接触する直線と前記平面とのなす角度をβとすると、α＞βとなる。
【発明の効果】
【０００９】
本発明によれば、薬液が外部へ流れ出ることを防止可能な容器、及び、この容器を有する揮散装置を提供することができる。
【図面の簡単な説明】
【００１０】
【図１】本発明の一実施形態に係る揮散装置を示す斜視図。
【図２】本実施形態の揮散装置を、図１に示したＦ２−Ｆ２断面に沿って切断した状態を示す断面図。
【図３】本実施形態の揮散装置を、図１に示したＦ３−Ｆ３線に沿って切断した状態を示す断面図。
【図４】本実施形態の揮散装置を、図１に示したＦ４−Ｆ４線に沿って切断した状態を示す断面図。
【図５】中栓が装着された状態の本実施形態の揮散装置を示す断面図。
【図６】本実施形態の変形例に係る揮散装置を示す断面図。
【図７】本実施形態の別の変形例に係る揮散装置を示す断面図。
【図８】本実施形態の別の変形例に係る揮散装置の蓋部材を示す平面図。
【図９】本実施形態の別の変形例に係る揮散装置の容器の要部を示す断面図。
【図１０】本実施形態の別の変形例に係る揮散装置の容器の要部を示す断面図。
【発明を実施するための形態】
【００１１】
本発明の一実施形態に係る揮散装置１０を、図１乃至図８を用いて説明する。図１は、揮散装置１０を示す斜視図である。図２は、揮散装置１０を、図１に示すＦ２−Ｆ２断面に沿って切断した状態を示す断面図である。図３は、揮散装置１０を、図１に示すＦ３−Ｆ３断面に沿って切断した状態を示す断面図である。図４は、揮散装置１０を、図１に示すＦ４−Ｆ４断面に沿って切断した状態を示す断面図である。図５は、中栓５０が装着された状態の揮散装置１０を示す断面図である。図６は、本実施形態の変形例に係る揮散装置１０を示す断面図である。図７は、本実施形態の別の変形例に係る揮散装置１０を示す断面図である。図８は、本実施形態の別の変形例に係る揮散装置１０の蓋部材４０を示す平面図である。
【００１２】
図１に示すように、揮散装置１０は、芳香薬液等の薬液Ｌ（図５に示す）を収容可能な容器２０、及び、容器２０内に配置され、薬液Ｌを吸い上げることが可能な複数の吸上揮散体６０を有している。  
容器２０は、内部に薬液Ｌを収容可能であり、かつ、複数の吸上揮散体６０を挿通可能な十分な大きさの開口を有している。ここで言う十分な大きさの開口とは、当該開口内に配置された複数の吸上揮散体６０どうしの間の隙間が確保され、吸上揮散体６０の表面を伝って落ちる薬液Ｌが、複数の吸上揮散体６０によって堰き止められて溜まることがない大きさである。また、ここで言う複数の吸上揮散体６０の数とは、揮散装置１０に対して予め決定された使用本数である。
【００１３】
容器２０は、本実施形態では、容器本体３０、容器本体３０に着脱可能に装着される蓋部材４０、及び、揮散装置１０の出荷時に容器２０に装着される、着脱可能な中栓５０（図５に示す）を有している。
【００１４】
図２に示すように、容器本体３０は、本体部３１、及び、本体部３１に連続して形成され、蓋部材４０が着脱可能に装着される首部３５を有している。本体部３１は、一例として、略直方体状に形成されている。本体部３１は、底壁部３２、胴部３３、及び、上壁部３４を有している。底壁部３２は、平面視で略長方形状に形成されている。
【００１５】
底壁部３２は、揮散装置１０が机等の被載置部に載置された状態において、被載置部に接触する載置面３２ａを有している。載置面３２ａは、底壁部３２の下面３２ｂの少なくとも一部により形成される。載置面３２ａは、平面に形成されている。載置面３２ａは、本実施形態では、一例として、底壁部３２の下面３２ｂの周縁部により形成されている。
【００１６】
胴部３３は、底壁部３２の周縁に形成されている。上壁部３４は、胴部３３の上縁部に形成されている。
【００１７】
首部３５は、本体部３１の上壁部３４に一体に形成されている。首部３５は、本体部３１の中心上に配置されている。首部３５は、一例として、円筒状に形成されている。首部３５は、本体部３１の内部に連通している。首部３５は、その軸線Ｃが、本体部３１の底壁部３２の載置面３２ａの延長面に直交する。
【００１８】
首部３５の上面３５ａは、首部３５の軸線Ｃに直交する平面に形成されている。首部３５の周面には、雄ねじ３５ｂが形成されている。首部３５の内径は、本実施形態では、一例として、１５．５ｍｍである。容器本体３０は、本実施形態では一例として、ガラスを主材料として形成されている。
【００１９】
蓋部材４０は、一端に壁部を有する筒状に形成されている。蓋部材４０は、本実施形態では、胴部４１、及び、胴部４１の一端に形成された上壁部４２を有している。胴部４１の内周面４１ａには、首部３５の雄ねじ３５ｂに螺合可能な雌ねじ４１ｂが形成されている。
【００２０】
上壁部４２の上面４２ａは、胴部４１の軸線Ｃ１に直交する平面に形成されている。上壁部４２には、孔７０が形成されている。孔７０は、上壁部４２を貫通している。孔７０は、図１に示すように、平面視で、一例で円に形成されている。また、孔７０は、その軸方向に、断面が一定の形状に形成されている。孔７０は、胴部４１と同軸に配置されている。本実施形態では、孔７０の内径は、首部３５の内径よりも大きい。孔７０の内径は、本実施形態では、一例として、１６．８ｍｍである。
【００２１】
上壁部４２の下面４２ｃは、胴部４１の軸線Ｃ１に平行な平面に形成されている。上壁部４２は、首部３５との間に中栓５０の一部を挟持可能な挟持部４２ｂを有している。
【００２２】
蓋部材４０が首部３５に装着された状態では、蓋部材４０は、胴部４１と首部３５とが同軸に配置される。すなわち、孔７０は、首部３５の内周面３５ｄと同軸に配置される。この為、図２乃至図４に示すように、蓋部材４０が首部３５に装着された状態では、孔７０の内周面７１は、首部３５の内面よりも、径方向外側に位置する。また、蓋部材４０の上面４２ａは、本体部３１の底壁部３２の載置面３２ａに平行となる。また、蓋部材４０の上壁部４２の下面４２ｃは、首部３５の上面３５ａに面接触する。
【００２３】
なお、図２は、蓋部材４０の孔７０及び後述する段部８０、並びに、その近傍の範囲Ｆ２１を拡大して示している。図３は、孔７０及び段部８０、並びに、その近傍の範囲Ｆ３１を拡大して示している。図４は、孔７０及び段部８０、並びに、その近傍の範囲Ｆ４１を拡大して示している。
【００２４】
蓋部材４０は、一例として、ポリエチレン、ポリプロピレン、ポリエチレンテレフタレート、アクリル樹脂、及び、金属のいずれか１つから形成されている。また、蓋部材４０の少なくとも後述する段部８０の底面８１及び内周面８２は、毛細管現象により薬液Ｌが伝わることを防止可能な程度に滑らかな面に形成されている。
【００２５】
蓋部材４０の上面４２ａの孔７０の縁には、段部８０が形成されている。段部８０は、孔７０から径方向外側に所定の範囲に形成されている。この為、段部８０は、平面視で、孔７０と同軸となる、円環状に形成されている。
【００２６】
段部８０は、底面８１、及び、内周面８２を有している。すなわち、段部８０は、底面８１及び内周面８２により、断面Ｌ字形状に形成されている。底面８１は、蓋部材４０の胴部４１の軸線Ｃ１に直交する平面に形成されている。内周面８２は、胴部４１の軸線Ｃ１に平行な面に形成されている。
【００２７】
次に、蓋部材４０の孔７０の内径、段部８０の深さ、及び、底面８１の幅について、説明する。孔７０は、容器２０内の吸上揮散体６０が、少なくとも、孔７０の内周面７１と段部８０の底面８１との間の第１の稜部Ｘに接触する内径を有している。段部８０の深さ、及び、底面８１の幅は、吸上揮散体６０の、容器２０内に挿入された状態での孔７０の軸線Ｃ１に対する最大傾斜角度に基づいて、設定されている。
【００２８】
具体的に説明する。容器２０内に孔７０を通して挿入された吸上揮散体６０は、その一部が、蓋部材４０の孔７０の内周面７１と底面８１との間の第１の稜部Ｘに接触する。さらに、吸上揮散体６０は、その下端が、底壁部３２の上面３２ｃと胴部３３の内面３３ａとの間の稜部Ｒに接触することにより、容器２０内での姿勢が保持される。なお、本実施形態では、第１の稜部Ｘは、一例として、断面が略９０度に形成されている。すなわち、内周面７１と底面８１とは、直交する。
【００２９】
吸上揮散体６０の姿勢は、容器２０の、吸上揮散体６０が接触する箇所によって異なる。図２乃至図４は、容器２０の吸上揮散体６０が接触する箇所に応じた、吸上揮散体６０の姿勢の一例を示している。
【００３０】
図２は、孔７０の軸線Ｃ１を通り、かつ、軸線Ｃ１及び本体部３１の底壁部３２の長手方向に平行な断面に沿って揮散装置１０を切断した状態を示している。図２は、吸上揮散体６０の下端が、底壁部３２の上面３２ｃと胴部３３の内面３３ａとの間の稜部Ｒの、本体部３１の短手方向の中心部Ｒ１（図１に示す）に接触している状態を示している。
【００３１】
図３は、孔７０の軸線Ｃ１を通り、かつ、軸線Ｃ１及び底壁部３２の短手方向に平行な断面に沿って揮散装置１０を切断した状態を示している。図３は、吸上揮散体６０の下端が、底壁部３２の上面３２ｃと胴部３３の内面３３ａとの間の稜部Ｒの、本体部３１の長手方向の中心部Ｒ２（図１に示す）に接触している状態を示している。
【００３２】
図４は、孔７０の軸線Ｃ１、及び、胴部３３の対角に位置して互いに対向する２つの稜部Ｇを通り、かつ、軸線Ｃ１に平行な断面に沿って揮散装置１０を切断した状態を示している。図４は、吸上揮散体６０の下端が、胴部３３の内面３３ａの稜部Ｇと底壁部３２の上面３２ｃとの間の稜部Ｒ３（図１に示す）に接触している状態を示している。
【００３３】
図２乃至図４に示すように、容器２０の、吸上揮散体６０が接触する箇所に応じて、首部３５の軸線Ｃに対する吸上揮散体６０の傾斜角度が異なる。本実施形態では、容器２０の本体部３１が直方体状であることから、図４に示すように、吸上揮散体６０は、吸上揮散体６０の下端が、胴部３３の内面３３ａの稜部Ｇと底壁部３２の上面３２ｃとの間の稜部Ｒ３に接触している状態において、孔７０の軸線Ｃ１に対する吸上揮散体６０の傾斜角度が最大となる。
【００３４】
段部８０の深さ、及び、底面８１の幅は、図４に示すように、孔７０の軸線Ｃ１に対する吸上揮散体６０の傾斜角度が最大となる状態においても、以下の条件１、及び、条件２を満たすように形成されている。
【００３５】
条件１：吸上揮散体６０が、孔７０の内周面７１と底面８１との間の第１の稜部Ｘに接触する。なお、本実施形態では、一例として、吸上揮散体６０が、第１の稜部Ｘに接触し、かつ、容器本体３０の首部３５の開口の内縁３５ｃには接触していない。しかしながら、これに限定されない。吸上揮散体６０は、第１の稜部Ｘに接触すればよく、首部３５の開口の内縁３５ｃにも接触してもよい。
【００３６】
条件２：角度αが、角度βよりも大きい。角度αは、第１の稜部Ｘの吸上揮散体６０との接触箇所Ｑを通り孔７０の軸線Ｃ１に直交する平面Ｐと吸上揮散体６０とのなす角度である。角度βは、接触箇所Ｑを通り、かつ、段部８０の内周面８２と上面４２ａの段部８０の外側の部分との間の第２の稜部Ｚに接触する直線Ｓと平面Ｐとがなす角度である。すなわち、吸上揮散体６０が、段部８０の内周面８２と、上面４２ａの段部８０の外側部分との間の第２の稜部Ｚに接触しなければよい。
【００３７】
なお、本実施形態では、段部８０の底面８１と孔７０の内周面７１は、互いに直交する。この為、本実施形態では、第１の稜部Ｘと吸上揮散体６０が接触する接触箇所Ｑは、同じ箇所となる。同様に、本実施形態では、段部８０の内周面８２と、蓋部材４０の上面４２ａの孔７０の外側部分とは、直交する。この為、第２の稜部Ｚは、本実施形態では、内周面８２と上面４２ａにおいて孔７０の外側部分との間の、断面９０となる角の先端となる。
【００３８】
段部８０が上記条件１及び条件２を満たす形状に形成されることにより、吸上揮散体６０が図２及び図３に示すように配置された状態においても、平面Ｐと吸上揮散体６０とがなす角度αは、平面Ｐと直線Ｓとがなす角度βよりも大きくなる。
【００３９】
また、段部８０は、吸上揮散体６０の表面を伝って流れ落ちる薬液Ｌが接触箇所Ｑを伝って段部８０に移動した薬液Ｌが段部８０を超えて外部に流れ出ることを防止可能に形成されることが好ましい。
【００４０】
具体的に説明する。吸上揮散体６０の表面を伝って下方に流れる薬液Ｌの一部は、第１の稜部Ｘの接触箇所Ｑから、段部８０の底面８１や内周面８２を伝って、段部８０を周方向に移動する。しかしながら、接触箇所Ｑから段部８０に流れる薬液Ｌの流量が、底面８１や内周面８２を伝って段部８０を周方向に移動する薬液Ｌの流量よりも大きいと、薬液Ｌが段部８０を越えて外部に流れ出る可能性がある。このように薬液Ｌが段部８０を越えて外部に流れ出ることは、段部８０の深さ、底面８１の幅、吸上揮散体６０と底面８１との間の隙間Ｙを大きくすることにより防ぐことができる。また、このように薬液Ｌが段部８０を越えて外部に流れ出ることを防ぐための、段部８０の深さ、底面８１の幅、隙間Ｙは、例えば実験によって求めることができる。
【００４１】
図５に示すように、中栓５０は、首部３５に着脱可能に装着されて、装着時では容器２０内の薬液Ｌが蓋部材４０の孔７０を通して外部に流れ出ることを防止可能に形成されている。中栓５０は、有底円筒状に形成された本体部５１、及び、本体部５１の開口縁に形成されたフランジ部５２を有している。
【００４２】
本体部５１は、首部３５内に、例えば締まり嵌めにより嵌合してもよい。具体的には、本体部５１の外径は、例えば、首部３５の内径よりも若干大きい。この為、本体部５１を首部３５内に圧入すると、本体部５１の外周面が首部３５の内周面３５ｄに密着することにより、孔７０及び本体部５１の間が液密にシールされる。
【００４３】
フランジ部５２は、本体部５１が首部３５内に配置された状態において、首部３５の上面３５ａ及び蓋部材４０の上壁部４２との間に配置可能に形成されている。フランジ部５２の径方向の幅は、本実施形態では、首部３５の上面３５ａの径方向の幅よりも若干狭い。
【００４４】
揮散装置１０の出荷時では、吸上揮散体６０は、容器２０と別にされる。そして、首部３５に中栓５０が装着された状態（本体部５１が首部３５内に挿入された状態）で、蓋部材４０が首部３５に装着される。中栓５０は、フランジ部５２が首部３５の上面３５ａと蓋部材４０の上壁部４２との間に挟持されることにより、容器２０から外れることが防止される。
【００４５】
吸上揮散体６０は、棒状に形成されている。吸上揮散体６０は、毛細管現象により、容器２０内の薬液Ｌを吸い上げることが可能に形成されている。吸上揮散体６０は、一例として、ポリエステル等の合成樹脂や葦、籐などにより形成されている。吸上揮散体６０は、本実施形態では、断面形状が一定である柱状に形成されている。吸上揮散体６０は、本実施形態では、一例として、円柱状に形成されており、直径が一例として、３ｍｍである。
【００４６】
次に、揮散装置１０の動作を説明する。揮散装置１０の使用時には、まず、蓋部材４０を容器２０から取り外す。次に、中栓５０を取り外す。次に、蓋部材４０を、容器２０の首部３５に再び装着する。このとき、蓋部材４０の上壁部の下面４２ｃが首部３５の上面３５ａに密着（面接触）するまで蓋部材４０を首部３５に螺合することが好ましい。下面４２ｃが上面３５ａに面接触することにより、これら面間がシールされる。次に、容器２０内に蓋部材４０の孔７０を通して複数の吸上揮散体６０を挿入する。
【００４７】
複数の吸上揮散体６０は、容器２０内の薬液Ｌを吸い上げる。吸上揮散体６０により吸い上げられた薬液Ｌは、吸上揮散体６０において薬液Ｌの外側に位置する部分の表面から揮散する。揮散した気体は、周囲に拡散される。
【００４８】
吸上揮散体６０により吸い上げられた薬液Ｌの一部は、吸上揮散体６０の上端や表面から漏れ出し、吸上揮散体６０の表面を伝って、下方に落ちる。この、吸上揮散体６０の表面を流れる薬液Ｌの一部は、そのまま、吸上揮散体６０の表面を伝って容器２０の容器本体３０内に貯留された薬液Ｌに戻る。また、吸上揮散体６０の表面を伝って落ちる薬液Ｌの一部は、第１の稜部Ｘを通って蓋部材４０の孔７０の内周面７１に移動し、内周面７１、首部３５の内周面３５ｄを伝って、容器２０内に貯留された薬液Ｌに戻る。また、薬液Ｌの一部は、第１の稜部Ｘを伝って蓋部材４０側に移動する。蓋部材４０側に移動した薬液Ｌは、段部８０内に溜まる。段部８０内に溜まった薬液Ｌは、段部８０から揮散する、または、段部８０から容器２０内に落ちることにより、容器２０内に戻る。
【００４９】
このように構成された揮散装置１０は、蓋部材４０の上面４２ａの孔７０の縁に段部８０が形成されることにより、第１の稜部Ｘを伝って蓋部材４０側に移動した薬液Ｌを段部８０に溜めることができるので、薬液Ｌが容器２０の外部に流れ出ることを防止できる、または、外部に流れ出る薬液Ｌの量を少なくできる。
【００５０】
さらに、段部８０を、底面８１及び内周面８２を有する断面Ｌ字形状に形成することにより、段部８０と吸上揮散体６０との間の隙間が、吸上揮散体６０と段部８０の底面８１との間の隙間Ｙとなるので、この隙間を大きくすることができる。この為、薬液Ｌが段部８０を越えて外部に流れ出ることを防止できる。
【００５１】
さらに、隙間Ｙを大きくできるので、蓋部材４０の大型化及び孔７０の開口面積を小さくすることを抑えつつ、段部８０を越えて外部に流れ出る薬液Ｌの量を略ゼロにすることができる。
【００５２】
この効果について、具体的に説明する。段部８０を越えて外部に流れる出る薬液Ｌの量をゼロまたは略ゼロにする為には、底面８１の幅を大きくすること、段部８０の深さを深くすること、及び、吸上揮散体６０と段部８０の面との間の隙間Ｙを大きくすること、の少なくとも１つを行うことが有効である。
【００５３】
しかしながら、底面８１の幅を大きくすることは、蓋部材４０を径方向に大型化するか、または、孔７０の内径を小さくすることの少なくとも一方を行う必要があり、蓋部材４０を大型化するか、または、孔７０の開口面積が小さくする必要がある。段部８０を深くする場合であっても、蓋部材４０の上壁部４２を厚くする必要がある為、蓋部材４０を大型化する必要がある。
【００５４】
しかしながら、本実施形態のように、段部８０が底面８１を有することにより、吸上揮散体６０と段部８０の面との間の隙間を、吸上揮散体６０と底面８１との間に隙間Ｙとすることができるので、この隙間Ｙを大きくすることが可能となる。
【００５５】
この為、段部８０を越えて外部に流れ出る薬液Ｌの量をゼロまたは略ゼロにしつつ、蓋部材４０の大型化、及び、孔７０の開口面積を小さくすることを防止することができる。孔７０の開口面積を小さくすることを抑えることができることにより、孔７０内における、吸上揮散体６０どうしの間の隙間を大きくすることができる。吸上揮散体６０どうしの間の隙間を大きくすることにより、薬液Ｌの揮散効率を向上することができる。
【００５６】
なお、本実施形態では、容器２０は、蓋部材４０を有しており、開口として蓋部材４０に孔７０が形成されたが、これに限定されない。他の例では、図６に示すように、容器２０が蓋部材４０を有さなくてもよい。この場合、容器本体３０の首部３５の上面３５ａに段部８０が形成される。
【００５７】
また、本実施形態では、孔７０を通して容器２０に挿入された吸上揮散体６０の姿勢は、吸上揮散体６０の一部が第１の稜部Ｘの接触箇所Ｑに接触し、吸上揮散体６０の下端が、容器本体３０の上面３２ｃと胴部３３の内面３３ａとの間の稜部Ｒに接触することにより、保持されている。しかしながら、例えば図６に示すように、首部３５が長い場合には、吸上揮散体６０の容器２０内の姿勢は、吸上揮散体６０の一部が開口の内縁に接触し、吸上揮散体６０の一部が首部３５の内周面３５ｄの下端部３５ｅに接触し、かつ、吸上揮散体６０の下端が容器本体３０の上面３２ｃに接触することにより、保持される。
【００５８】
このように、吸上揮散体６０の容器２０に装着された状態の姿勢は、容器２０の形状により決定される。孔７０及び段部８０は、容器２０の形状に関わらず、容器２０内に挿入された吸上揮散体６０の、孔７０の軸線に対して傾斜角度が最大となる状態において、上述の条件１及び条件２を満たす形状に形成されればよい。
【００５９】
また、本実施形態では、孔７０の内径は、容器本体３０の首部３５の内径よりも大きい。しかしながら、これに限定されない。他の例では、図７に示すように、孔７０の内径は、容器２０に装着された吸上揮散体６０の、孔７０の軸線Ｃ１に対する傾斜角度が最大となる状態において、孔７０及び段部８０が上述の条件１及び条件２を満たす形状であれば、首部３５の内径と同じであってもよい。すなわち、首部３５の内周面及び孔７０が同軸に配置され、かつ、首部３５の内径及び孔７０の内径が同じであってもよい。または、図７に２点鎖線で示すように、孔７０の内径は、首部３５の内径よりも小さくてもよい。すなわち、孔７０と首部３５の内周面３５ｄとが同軸に配置され、かつ、孔７０の内径が首部３５の内径よりも小さくてもよい。
【００６０】
また、本実施形態では、段部８０の底面８１は、蓋部材４０の孔７０の軸線Ｃ１に直交する平面に形成されたがこれに限定されない。他の例では、底面８１は、その内縁側が、外縁側に対して下方に位置するよう傾斜する面に形成されてもよい。本実施形態では、その例として、底面８１は、円錐面に形成されてもよい。さらに、底面８１は、図２乃至図４に示すように、切断された状態において内縁側が下方に位置する直線状となる面に形成されることが好ましい。円錐面は、この一例である。
【００６１】
このように、底面８１が傾斜する面に形成されることにより、段部８０に移動した薬液Ｌは、スムーズに容器本体３０内に落ちる。
【００６２】
また、本実施形態では、容器本体３０は、本体部３１及び首部３５を有しているが、これに限定されない。容器２０は、他の例では、断面が一定の形状となる、例えば円筒状や、角筒状に形成されてもよい。または、容器２０は、球形や、箱型であってもよい。
【００６３】
また、本実施形態では、首部３５は、円筒状に形成されているがこれに限定されない。他の例では、首部３５は、三角筒状や、四角筒状等の各筒状に形成されてもよい。この場合、蓋部材４０は、平面視で図８（ａ）及び図８（ｂ）に示すように、角形に形成される。さらに、孔７０及び段部８０は、角筒状の首部３５の断面矩形状の内面に合わせて、平面角形に形成されてもよい。なお、蓋部材４０を有さない場合においても、同様に、段部８０は平面矩形に形成されてもよい。
【００６４】
また、本実施形態では、段部８０は、蓋部材４０の上面４２ａに形成された。しかしながら、これに限定されない。他の例では、段部８０は、図９に示すように、首部３５と蓋部材４０とによって構成されてもよい。具体的には、蓋部材４０の孔７０の内径を、首部３５の内径よりも小さくすることにより、首部３５の上面３５ａの一部と、蓋部材４０の孔７０の内周面７１の一部とにより、段部８０が構成される。  
また、本実施形態では、孔７０は、その軸線（中心線）に直交する断面円形に形成された。しかしながら、これに限定されない。他の例では、孔７０は、その軸線に直交する断面が、円以外の形状であってもよく、例えば、四角形であってもよい。すなわち、本実施形態では、首部３５は、外観が円柱状に形成されているが、孔７０の軸線に直交する断面は、円以外の形状であってもよい。
【００６５】
また、本実施形態では、孔７０の内周面７１と段部８０の底面８１とが直交する為、平面Ｐは、底面８１と同一平面となった。しかしながら、内周面７１と底面８１との間の第１の稜部Ｘが、図１０に示すように、曲面に形成されてもよい。この場合、第１の稜部Ｘにおいて吸上揮散体６０が接触する接触箇所Ｑは、第１の稜部Ｘの内の一点となる。さらに、この場合、平面Ｐは、底面８１とは平行であるが、底面８１とはずれた位置に配置される平面となる。同様に、段部８０の内周面８２と、上面４２ａの段部８０の外側の部分との間の第２の稜部Ｚは、曲面に形成されてもよい。この場合、直線Ｓは、接触箇所Ｑと、第２の稜部Ｚのうちの一点に接触することとなる。
【００６６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６７】
１０…揮散装置、２０…容器、３０…容器本体、４０…蓋部材、４１…胴部、４２…上壁部、４２ａ…上面、５０…中栓、５１…本体部、５２…フランジ部、６０…吸上揮散体、７０…孔、７１…内周面、８０…段部、８１…底面、８２…内周面（内側面）、Ｃ１…軸線、Ｐ…平面、Ｑ…接触箇所、Ｓ…直線、Ｘ…第１の稜部、Ｚ…第２の稜部、α…角度、β…角度。
【図１】
2018203286.tif 000003
【図２】
2018203286.tif 000004
【図３】
2018203286.tif 000005
【図４】
2018203286.tif 000006
【図５】
2018203286.tif 000007
【図６】
2018203286.tif 000008
【図７】
2018203286.tif 000009
【図８】
2018203286.tif 000010
【図９】
2018203286.tif 000011
【図１０】
2018203286.tif 000012